(57)【要約】【課題】プラスチック、ガラス、金属等からなる平滑で非吸収性の描画面上によく描画することができて、しかも、その描画面上の描画を水で消去することができ、更に、それ自体が水に浮く性質を有する固形描画材組成物を提供する。【解決手段】本発明によれば、着色顔料、体質顔料、ワックス、微小中空粒子及びノニオン界面活性剤を含む固形描画材組成物であって、上記中空粒子を０．５〜５．０重量％の範囲で含むと共に、上記ノニオン界面活性剤を３０〜７０重量％の範囲で含み、比重が１よりも小さいことを特徴とする固形描画材組成物が提供される。【選択図】なし【特許請求の範囲】
【請求項１】
着色顔料、体質顔料、ワックス、微小中空粒子及びノニオン界面活性剤を含む固形描画材組成物であって、上記中空粒子を０．５〜５．０重量％の範囲で含むと共に、上記ノニオン界面活性剤を３０〜７０重量％の範囲で含み、比重が１よりも小さいことを特徴とする固形描画材組成物。
【請求項２】
上記微小中空粒子が樹脂からなり、２０〜７０μｍの範囲の平均粒子径と０．０３〜０．０７ｇ／ｃｍ3 の範囲の真比重を有するものである請求項１に記載の固形描画材組成物。
【請求項３】
上記ノニオン界面活性剤を４０〜６５重量％の範囲で含む請求項１に記載の固形描画材組成物。
【請求項４】
ワックスを２０〜５０重量％の範囲で含む請求項１に記載の固形描画材組成物。
【請求項５】
更にオイルを含む請求項１〜４のいずれかに記載の固形描画材組成物。
【発明の詳細な説明】
【技術分野】
【０００１】
本発明は固形描画材組成物に関し、詳しくは、それ自体、水に浮くことができ、更に、プラスチック、ガラス、金属等からなる平滑で非吸収性の描画面によく描画することができ、しかも、描画面上の描画線が水によって容易に消去することができるクレヨンやパス様の固形描画材組成物に関する。
【背景技術】
【０００２】
プラスチック、ガラス、金属等からなる平滑で非吸収性の描画面に描画することができる固形描画材組成物は既に知られている。例えば、着色顔料、体質顔料、ワックス、微小中空粒子及びノニオン界面活性剤を含む固形描画材組成物が知られている（特許文献１参照）。
【０００３】
しかし、このように、平滑で非吸収性の描画面によく描画することができるのみならず、描画面の描画線を水で消去することができ、しかも、それ自体が水に浮き、従って、例えば、子供が入浴しつつ、又は水遊びしつつ、プラスチック、ガラス、金属等からなる平滑で非吸収性の描画面上によく描画することができ、必要に応じて、その描画線を水で容易に消去することができる固形描画材組成物は未だ、知られていない。
【先行技術文献】
【特許文献】
【０００４】
【特許文献１】特開２００４−３１５６０２号公報
【発明の概要】
【発明が解決しようとする課題】
【０００５】
上述したように、プラスチック、ガラス、金属等からなる平滑な表面によく描画することができて、しかも、その描画線を水で消去することができ、更に、それ自体が水に浮き、従って、例えば、子供が入浴しつつ、又は水遊びしつつ、上述したような平滑な描画面上に描画することができ、必要に応じて、その描画線を水にて容易に消去することができる固形描画材組成物を提供することを目的とする。
【課題を解決するための手段】
【０００６】
本発明による固形描画材組成物は、着色顔料、体質顔料、ワックス、微小中空粒子及びノニオン界面活性剤を含む固形描画材組成物であって、上記中空粒子を０．５〜５．０重量％の範囲で含むと共に、上記ノニオン界面活性剤を３０〜７０重量％の範囲で含み、比重が１よりも小さいことを特徴とする。
【０００７】
特に、本発明によれば、固形描画材組成物は上記ノニオン界面活性剤を４０〜６５重量％の範囲で含むことが好ましい。
【０００８】
また、本発明によれば、上記微小中空粒子は樹脂からなり、２０〜７０μｍの範囲の平均粒子径と０．０３〜０．０７ｇ／ｃｍ3 の範囲の真比重を有するものが好ましい。
【０００９】
更に、本発明による固形描画材組成物は、ワックスを２０〜５０重量％の範囲で含むことが好ましい。
【００１０】
また、本発明による固形描画材組成物は、必要に応じて、オイルを含むことができる。
【発明の効果】
【００１１】
本発明の固形描画材組成物によれば、プラスチック、ガラス、金属等からなる平滑で非吸収性の描画面によく描画することができ、しかも、その描画面上の描画線を水で消去することができ、更に、それ自体が水に浮くことができる。従って、本発明の固形描画材組成物は、例えば、子供がこれを用いて、入浴しつつ、又は水遊びしつつ、上述したような描画面上によく描画することができ、また、必要に応じて、その描画面上の描画線を水にて容易に消去することができる固形描画材組成物を提供することを目的とする。
【発明を実施するための形態】
【００１２】
本発明による固形描画材組成物は、着色顔料、体質顔料、ワックス、微小中空粒子及びノニオン界面活性剤を含む固形描画材組成物であって、上記中空粒子を０．５〜５．０重量％の範囲で含むと共に、上記ノニオン界面活性剤を３０〜７０重量％の範囲で含み、比重が１よりも小さい。
【００１３】
（着色顔料）
本発明による固形描画材組成物において、着色顔料は、描画面上に形成された描画線を着色するためのものであって、従来、クレヨンやパス様の固形描画材組成物において着色剤として用いられているものであれば、いずれでも用いることができる。従って、本発明によれば、着色剤として、例えば、フタロシアニン、キナクリドン、カーボンブラック、酸化チタン、弁柄等の有機顔料や無機顔料が好ましく用いられる。これら顔料は、単独にて、又は２種以上を組み合わせて用いられる。
【００１４】
顔料の配合量は、その種類にもよるが、発色性や描画性等を考慮すれば、固形描画材組成物の重量に基づいて、通常、０．１〜２０重量％の範囲であり、好ましくは、１〜１０重量％の範囲である。顔料の配合量が固形描画材組成物の重量に基づいて、０．１重量％よりも少ないときは、着色力が弱く、実用的な濃度の描画線を描くことが困難である。しかし、２０重量％よりも多くしても、描画線の濃度がそれに見合って濃くなるものでもないので、通常、２０重量％までで十分である。
【００１５】
（体質顔料）
本発明による固形描画材組成物において、体質顔料は、描画面に描画するとき、固形描画材組成物の摩耗を促進して、描く際の感覚をよくすると共に、固形描画材組成物を崩れやすくし、描画の際に描画面への固形描画材組成物の接着量を多くして、描画線の着色性を高める効果を有する。このような体質顔料としては、例えば、カオリン、炭酸カルシウム、炭酸マグネシウム、シリカ粉末等が好ましく用いられる。これら体質顔料は、固形描画材組成物の重量に基づいて、通常、１〜２５重量％の範囲、好ましくは、２〜１５重量％の範囲で用いられる。
【００１６】
（ワックス）
ワックスは、固形描画材組成物の有する種々の成分を一体にまとめると共に、描画面に描いた描画線が描画面によく接着するように用いられる。従って、本発明においては、そのようなワックスとしては、固形描画材組成物の製造に際して、加熱時、例えば、６０〜１２０℃程度に加熱したときは溶融するが、常温乃至５０℃程度の温度では固体であるものが好ましく、従って、例えば、木蝋、蜜蝋、ケトンワックス、パラフィンワックス、マイクロクリスタリンワックス、カルナウバワックス、牛脂硬化油、ポリエチレンワックス、フィッシャー・トロプシュワックス等を例示することができる。このようなワックスは、単独で、又は２種以上を組み合わせて用いられる。
【００１７】
このようなワックスは、固形描画材組成物において、通常、２０〜５０重量％、好ましくは、２０〜４５重量％の範囲で用いられる。固形描画材組成物におけるワックスの割合が余りに多いときは、固形描画材組成物として必要な着色性が得られないほか、柔軟性が低下して、例えば、描画に際して折れやすくなる。しかし、固形描画材組成物におけるワックスの割合が余りに少ないときは、描画面への固形描画材組成物の接着性が悪くなるほか、強度も不十分となる。
【００１８】
（オイル）
オイルは、ワックスと協同して、固形描画材組成物に滑らかな描画性を与えるために、必要に応じて用いられる。従って、オイルは、透明であって、ワックスに溶解するものが好ましく用いられる。そのようなオイルの具体例として、例えば、流動パラフィン、ヤシ油、ヒマシ油等を例示することができる。これらのオイルは、単独で、又は２種以上を組み合わせて用いられる。
【００１９】
オイルは、固形描画材組成物において、１０重量％以下の範囲で用いられ、好ましくは、５重量％以下の範囲で用いられる。固形描画材組成物におけるオイルの割合が余りに多いときは、描画面への描画に際して、折れやすく、また、耐熱性も低下する。
【００２０】
（微小中空粒子）
本発明による固形描画材組成物は微小中空粒子を含み、これによって、その比重が１よりも小さく、かくして、水に浮くことができる。特に、本発明においては、上記微小中空粒子は中空の樹脂球からなり、２０〜７０μｍの範囲の平均粒子径と０．０３〜０．０７ｇ／ｃｍ3 の範囲の真比重を有するものが好ましく用いられる。このような微小中空粒子としては、例えば、日本フィライト株式会社製の「エクスパンセル」（登録商標）の膨張品が用いられる。
【００２１】
本発明による固形描画材組成物は、上述したような微小中空粒子は、固形描画材組成物の重量に基づいて、０．５〜５．０重量％、好ましくは、１．５〜３．０重量％の範囲で用いられる。固形描画材組成物における微小中空粒子の割合が余りに少ないときは、得られる固形描画材組成物が水に浮くことができない。しかし、固形描画材組成物における微小中空粒子の割合が余りに多いときは、得られる固形描画材組成物が強度において不十分となって、描画に際して崩れすく、折れやすくなる。
【００２２】
（界面活性剤）
更に、本発明による固形描画材組成物はノニオン界面活性剤を含み、これによって、描画面に描いた描画線を水によって容易に消去すること、例えば、水で濡らした布で描画面上の描画線を容易に拭き取ることができる。
【００２３】
上記ノニオン界面活性剤としては、特に、限定されるものではないが、例えば、多価アルコールの脂肪酸エステルやポリオキシエチレンオキシドのアルコールや脂肪酸の縮合物等を挙げることができる。
【００２４】
多価アルコールの脂肪酸エステルとして、例えば、ソルビタンモノラウレート等を挙げることができる。ポリオキシエチレンオキシドの高級アルコール縮合物として、例えば、ポリオキシエチレンラウリルエーテル等のようなポリオキシエチレンアルキルエーテルを挙げることができ、ポリオキシエチレンオキシドの高級脂肪酸の縮合物として、例えば、ポリオキシエチレンアルキルエステルを挙げることができる。本発明においては、これらのノニオン界面活性剤は、単独で、又は組み合わせて用いられる。
【００２５】
本発明によれば、上記界面活性剤は、固形描画材組成物において、３０〜７０重量％、好ましくは、４０〜６５重量％の範囲で用いられる。固形描画材組成物における界面活性剤の割合が３０重量％よりも少ないときは、描画面に描いた描画線が水で消去し難く、一方、固形描画材組成物における界面活性剤の割合が７０重量％よりも多いときは、固形描画材組成物を構成する上述した種々の成分を一体に固形化することができない。
【００２６】
また、本発明においては、必要に応じて、アニオン界面活性剤やカチオン界面活性剤を上記ノニオン界面活性剤と併用してもよい。この場合においても、アニオン界面活性剤やカチオン界面活性剤は、これらと前記ノニオン界面活性剤の合計量が固形描画材組成物の重量に基づいて、３０〜７０重量％、好ましくは、４０〜６５重量％の範囲となるように用いられる。
【００２７】
（製造方法）
本発明による固形描画材組成物は、その製造方法において特に限定されるものではないが、一例を挙げれば、ワックスとオイルと体質顔料と界面活性剤を加熱し、体質顔料の分散体とし、これに着色顔料と微小中空粒子を加え、混合攪拌した後、適宜の型中に流し込み、冷却、固化させれば、本発明による固形描画材組成物を得ることができる。
【実施例】
【００２８】
以下に実施例を挙げて本発明を詳細に説明するが、本発明はそれら実施例によって何ら限定されるものではない。また、以下の実施例と比較例において、固形描画材組成物の製造に用いた原材料は以下のとおりである。
【００２９】
（着色顔料）
赤色顔料：
野間化学株式会社製レッドＳＲ２００Ｐと堺化学工業株式会社製酸化チタンの重量比８：１の混合物
群青：
第一化成工業株式会社製グンジョウＰＢ−３０
（体質顔料）
シリカ粉末：
エボニック・デグサ・ジャパン株式会社製
カオリン：
白石カルシウム株式会社製ＫＡＯＢＲＩＴＥ
炭酸マグネシウム：
神島化学工業株式会社製炭酸マグネシウム金星
炭酸カルシウム：
近江化学工業株式会社製軽微性炭酸カルシウム
（微小中空粒子）
日本フィライト株式会社製エクスパンセル５５１ＤＥ４０ｄ４２
（ワックス）
【００３０】
硬化油脂：
四国油脂株式会社製牛脂極度硬化油
ケトンワックス：
花王株式会社製カオーワックスＴ−１
マイクロクリスタリンワックス：
日本精鑞株式会社製ハイミック１０８０
フィッシャー・トロプシュワックス：
サゾール・ワックス社製サゾールＨ−１
蜜蝋：
三木化学工業株式会社製ミツロウ
（オイル）
流動パラフィン：
三光化学工業株式会社製
（ノニオン界面活性剤）
ソルビタンモノラウレート：
花王株式会社製
ポリオキシエチレンアルキルエーテル：
花王株式会社製
【００３１】
実施例１
表１に示す成分を用いて下記の方法によって固形描画材組成物を製造した。即ち、ワックスとオイルと体質顔料と界面活性剤を混合し、１００℃に加熱し、体質顔料の分散体を得た。次いで、ここの分散体に着色顔料と微小中空粒子を加え、混合攪拌した後、型中に流し込み、冷却、固化させて、直径１ｃｍ、長さ３．５ｃｍの固形描画材組成物を得た。このようにして得られた固形描画材組成物を下記のようにしてその物性を評価した。
【００３２】
（描画線の水消去性）
ガラス板上に描画線を描き、乾燥させた後、水で濡らした布で描画線を拭き取ることができたときを消去性があり（○）とし、上記ガラス板上の描画線を拭き取るときに描画線が僅かに残るときを消去性があり（△とし、上記ガラス板上の描画線を拭き取ることができず、描画線がガラス板上に残存したときを消去性がなし（×）とした。
【００３３】
（描画材の水浮き性）
固形描画材組成物が水に浮くかどうかを調べて、水に浮いたときを水浮き性があり〈○〉とし、水中に沈んだときを水浮き性がなし〈×〉とした。
【００３４】
【表１】
2016210883.tif 000002
【００３５】
実施例１〜５に示すように、本発明に従って、それぞれ所定量の微小中空粒子とノニオン界面活性剤を含む固形描画材組成物は、水に浮くと共に、ガラス板上に描いた描画線は、水で濡らした布で拭き取ることができ、水消去性を有するものであった。
【００３６】
比較例１による固形描画材組成物の描画線は水消去性を有したが、微小中空粒子を含まないので、水に浮くことができなかった。
【００３７】
比較例２による固形描画材組成物は、微小中空粒子もノニオン界面活性剤も含まないので、描画線は水消去性をもたず、水に浮くことができなかった。
比較例３による固形描画材組成物は、ノニオン界面活性剤の含有量が少なすぎて、描線は水消去性をもたなかった。
【００３８】
比較例４による固形描画材組成物は、反対に、ノニオン界面活性剤の含有量が多すぎる結果、固形描画材組成物の製造に際して、各成分を一体にまとめて、固化させることができなかった。
【００３９】
比較例５による固形描画材組成物は、比較例１による固形描画材組成物と同じく、その描画線は水消去性を有したが、微小中空粒子を含まないので、水に浮くことができなかった。
【００４０】
比較例６による固形描画材組成物は、微小中空粒子の配合量が多すぎて、崩れやすく、実用的な描画性をもたなかった。